(57)【特許請求の範囲】
【請求項１】
上基材と中間基材と下基材とを備え、上基材の裏面と中間基材の表面とが対面しかつ中間基材の裏面と下基材の表面とが対面するように各基材が積層されて一枚のシート状をなす配送用伝票であって、
折り線を介して連接する第１紙片領域と第２紙片領域とを有し、
前記第１紙片領域は、上基材の表面に分離可能な第１複写部を有し、中間基材の表面に第２複写部を有し、下基材の表面に第３複写部を有し、
前記第２紙片領域は、下基材の裏面に切り取り線を介して分離可能とされた複写情報記入部を有し、
前記各複写部は、それぞれが重なる位置にあり、
前記複写情報記入部は、前記折り線を介して上基材の表面が折り返し内面となるようにして第１紙片領域と第２紙片領域を折り重ねた際に各複写部と重なる位置にあり、
前記折り線を介して第１紙片領域と第２紙片領域を折り重ねて複写情報記入部と各複写部とが重なる位置とされた状態において、複写情報記入部に記入した情報が各複写部へ複写される複写機能を有し、
かつ、前記中間基材の裏面の前記第３複写部に対面する位置を除く部分に粘着剤層が形成されているとともに、下基材の表面の前記粘着剤層に対面する部位がその粘着剤層に対して剥離可能に接着されている、ことを特徴とする配送用伝票。
【請求項２】
前記第１複写部が切り取り線で囲まれ、上基材の他の部分から分離可能とされている請求項１記載の配送用伝票。
【請求項３】
前記第２複写部が切り取り線で囲まれ、中間基材の他の部分から分離可能とされている請求項１又は２の何れか１項に記載の配送用伝票。
【請求項４】
第２紙片領域は、上基材を有さない請求項１〜３の何れか１項に記載の配送用伝票。
【請求項５】
下基材の第１紙片領域と第２紙片領域とが、切り取り線によって分離可能とされている請求項１〜４の何れか１項に記載の配送用伝票。
【請求項６】
第２紙片領域の第１紙片領域と折り重ねた際に第１複写部と対面する部分は、複写防止層を有する請求項１〜５の何れか１項に記載の配送用伝票。
【発明の詳細な説明】
【技術分野】
【０００１】
本発明は、宛先情報等を記入して配送品に貼付して用いる配送用伝票に関する。
【背景技術】
【０００２】
配送用伝票は、荷札（配送先表示部分）お客様控え、受領証、発送者或いは発送店控え等の複数の情報を記入する部分を有し、これらが各々分離可能にされ、配送の適宜の段階で、配達業者、依頼人、受取人の控とされるものである。
【０００３】
このような配送用伝票としては、例えば、前記荷札等の複写情報記入部が別々の紙片により構成され、それらが重ねられた積層構造をなし、配送用伝票の最表面に位置する複写情報記入部に情報を記入すると、その記入した情報が積層された他の紙片の複写情報記入部に複写されるようにされたものがよく知られる。
【０００４】
他方、配送用伝票は、配送品に貼付して用いることから、配送品に貼付するための貼付機能を有し、この貼付機能は、配送用伝票の裏面側に粘着剤層を設けることにより付与されるのが一般的である。そして、この粘着剤層は、貼付前の取り扱い性の点から剥離紙等の保護シートにより被覆された状態とされる。
【０００５】
すなわち、配送用伝票では、使用に際して、保護シートを剥離して粘着剤層を露出させる作業が行なわれる。
【０００６】
そして、この際、従来の配送用伝票では、貼付の際に剥離した保護シートに何ら活用の余地がなく無駄な紙片として廃棄処理されている。
【先行技術文献】
【特許文献】
【０００７】
【特許文献１】特開平７−１２５４７５号公報
【特許文献２】特開２００４−２９１２９２号公報
【特許文献３】特開平７−１３４５５４公報
【特許文献４】特開１１−２８８７６号公報
【特許文献５】特開２００７−１１５０号公報
【発明の概要】
【発明が解決しようとする課題】
【０００８】
そこで、本発明の主たる課題は、必要な複写を採ることができるとともに、上記の廃棄される不要な紙片がない配送用伝票を提供することにある。
【課題を解決するための手段】
【０００９】
上記課題を解決した本発明は次記のとおりである。
＜請求項１記載の発明＞
上基材と中間基材と下基材とを備え、上基材の裏面と中間基材の表面とが対面しかつ中間基材の裏面と下基材の表面とが対面するように各基材が積層されて一枚のシート状をなす配送用伝票であって、
折り線を介して連接する第１紙片領域と第２紙片領域とを有し、
前記第１紙片領域は、上基材の表面に分離可能な第１複写部を有し、中間基材の表面に第２複写部を有し、下基材の表面に第３複写部を有し、
前記第２紙片領域は、下基材の裏面に切り取り線を介して分離可能とされた複写情報記入部を有し、
前記各複写部は、それぞれが重なる位置にあり、
前記複写情報記入部は、前記折り線を介して上基材の表面が折り返し内面となるようにして第１紙片領域と第２紙片領域を折り重ねた際に各複写部と重なる位置にあり、
前記折り線を介して第１紙片領域と第２紙片領域を折り重ねて複写情報記入部と各複写部とが重なる位置とされた状態において、複写情報記入部に記入した情報が各複写部へ複写される複写機能を有し、
かつ、前記中間基材の裏面の前記第３複写部に対面する位置を除く部分に粘着剤層が形成されているとともに、下基材の表面の前記粘着剤層に対面する部位がその粘着剤層に対して剥離可能に接着されている、ことを特徴とする配送用伝票。
【００１０】
＜請求項２記載の発明＞
前記第１複写部が切り取り線で囲まれ、上基材の他の部分から分離可能とされている請求項１記載の配送用伝票。
【００１１】
＜請求項３記載の発明＞
前記第２複写部が切り取り線で囲まれ、中間基材の他の部分から分離可能とされている請求項１又は２の何れか１項に記載の配送用伝票。
【００１２】
＜請求項４記載の発明＞
第２紙片領域は、上基材を有さない請求項１〜３の何れか１項に記載の配送用伝票。
【００１３】
＜請求項５記載の発明＞
下基材の第１紙片領域と第２紙片領域とが、切り取り線によって分離可能とされている請求項１〜４の何れか１項に記載の配送用伝票。
【００１４】
＜請求項６記載の発明＞
第２紙片領域の第１紙片領域と折り重ねた際に第１複写部と対面する部分は、複写防止層を有する請求項１〜５の何れか１項に記載の配送用伝票。
【発明の効果】
【００１５】
本発明によれば、従来の粘着剤層を保護する保護シートに相当する部分に複写情報記入部があり、しかも、そこに記入された情報が、保護シートの他の領域にある第３複写部を含め他の各複写部に複写され、それら各複写部及び複写情報記入部がそれぞれ分離して各種の控えとすることができる。従って、必要な複写を採ることができるとともに、廃棄される不要な紙片がない配送用伝票となる。
【図面の簡単な説明】
【００１６】
【図１】本発明の配送用伝票の平面図であるとともに、上基材の表面を示す図である。
【図２】上基材の裏面を示す図である。
【図３】中間基材の表面を示す図である。
【図４】中間基材の裏面を示す図である。
【図５】下基材の表面を示す図である。
【図６】本発明の配送用伝票の裏面図であるとともに、下基材の裏面を示す図である。
【図７】図１のＶＩＩ−ＶＩＩ断面図である。
【図８】図１のＶＩＩＩ−ＶＩＩＩ断面図である。
【図９】図１のＩＸ−ＩＸ断面図である。
【図１０】図１のＸ−Ｘ断面図である。
【図１１】本発明の配送用伝票の使用方法を説明するための図である。
【発明を実施するための形態】
【００１７】
次いで、本発明の実施形態を図１〜１１を参照しながら以下に詳述する。
【００１８】
『構造例』
本形態の配送用伝票Ｘ１は、上基材１と中間基材２と下基材３とを有し、上基材１の裏面１Ｂと中間基材の表面２Ａとが対面し、中間基材の裏面２Ｂと下基材の表面３Ａとが対面するように前記各基材が積層された３層構造をなしている。
【００１９】
他方、本形態の配送用伝票Ｘ１は、折り線Ｌ１を介して連接する第１紙片領域Ａと第２紙片領域Ｂとを有する。
【００２０】
前記第１紙片領域Ａにおける上基材１の表面１Ａには、フレキソ印刷、オフセット印刷、グラビア印刷等の既知の印刷技術により枠欄や当該枠内に記載すべき情報を指定する表示等を印刷することで、荷札兼受領証部となる第１複写部１１が形成されている。
【００２１】
なお、ここでの記載すべき情報とは、例えば、配送先情報、依頼主連絡先、整理番号、集配日、配達予定日、配送品名等の配送に関する必須情報を含む適宜の情報である。
【００２２】
他方、本形態の配送用伝票Ｘ１では、好適な例として、前記第１複写部１１が切り取り線Ｌ２で矩形に囲まれており、上基材の他の部分から分離可能に形成されている。
【００２３】
ここで、切り取り線Ｌ２は、当該線に沿って切断されるように配した、ミシン目線、スリット線、ハーフスリット線などであるが、本配送用伝票Ｘ１においては、前記第１複写部１１を囲む切り取り線Ｌ２は、意図せず切断し難く、必要時に所定方向に向かって意図的に順次ミシン目線が裂けるジッパーミシン目線であるのが好ましい。
【００２４】
なお、本形態Ｘ１では、好ましく、第１複写部１１を囲む切り取り線Ｌ２で矩形に囲まれる適宜の部のコーナーが小三角状にカットされた所謂コーナーカット５０が施されており、切り取り開始端として当該コーナーが摘みやすくなっている。
【００２５】
また、本形態の配送用伝票Ｘ１では、第１複写部１１を囲む切り取り線Ｌ２の内側において上基材１の裏面１Ｂが中間基材２に対して非接着とされ、外側において剥離不能に接着されている（図２及び図３における接着部は符号１６で示す）。かかる接着により、第１紙片領域Ａおいては、上基材１と中間基材２とが積層一体化されている。
【００２６】
なお、本形態の配送用伝票Ｘ１では、第１複写部１１を囲む切り取り線Ｌ２の外側位置の全体が剥離不能に接着されているが、これに限らず適宜部分的に剥離不能に接着されていてもよい。さらに、接着は、既知の非剥離性接着剤を層状、薄膜状、網目状に配されて行なわれていればよい。また、接着剤の種類については、特に限定されるものではない。
【００２７】
他方、第１紙片領域Ａにおいては、中間基材２の表面２Ａに、第１複写部１１と同様にフレキソ印刷等による表示等の印刷によって、荷札となる第２複写部１２が形成され、下基材３の表面３Ａには、発送者或いは発送店控えとなる第３複写部１３が形成されている。これらの第２複写部１２と第３複写部１３とは、前記第１複写部１１と重なる位置に配置され、もって、上記第１紙片領域Ａにある各基材に形成される各複写部がそれぞれ重なる位置となるように構成されている。
【００２８】
ここで、本形態の配送用伝票Ｘ１では、好適な例として、前記第２複写部１２は切り取り線Ｌ３で囲まれていてもよい。なお、前記第２複写部１２が前記第１複写部１１を囲む切り取り線Ｌ２よりも若干小さい矩形か又は同様の大きさの矩形の切り取り線Ｌ３で囲まれており、前記上基材裏面２Ｂの接着剤の影響を受けることなく、中間基材２の他の部分から分離可能とされている。Ｌ３をＬ２よりも若干小さい矩形とすることにより、第１複写部１１をＬ２によって分離する際に、誤って第２複写部１２を同時に分離することを好適に防ぐことができる。
【００２９】
また、図示はしないが、第２複写部にもコーナーカットを施すことで、当該コーナーが掴みやすくなる。
【００３０】
切り取り線Ｌ３は、当該線に沿って切断されるように配した、ミシン目線、スリット線、ハーフスリット線などであるが、前記第２複写部１２を囲む切り取り線Ｌ３は、意図せず切断し難く、必要時に所定方向に向かって意図的に順次ミシン目線が裂けるジッパーミシン目線であるのが好ましい。
【００３１】
他方、第１紙片領域Ａにおける前記中間基材裏面２Ｂの前記第２複写部１２と重なる位置を除く部分、すなわち、本形態の配送用伝票Ｘ１における第２複写部１２を囲む切り取り線Ｌ３の外側であって中間基材２の裏面側となる位置には、粘着剤層２３が形成されている。本形態では、好ましく第２複写部１２を囲むように矩形に粘着剤層２３が配置されているが、必ずしもこのように配置する必要はない。
【００３２】
前記粘着部２３は、ホットメルト粘着剤、アクリル系粘着剤、天然ゴム系粘着剤、合成ゴム系粘着剤、シリコーン系粘着剤等の既知の粘着剤が層状、薄膜状、網目状に配されてなる部分であり、適宜の粘着力を有して、配送用伝票を配送品に貼付するためのものである。なお、本発明における無駄な紙片を排出しないという環境に配慮した効果をより一層顕著なものとすべく、接着剤は、解離性接着剤とするのがよい。解離性接着剤であれば、紙のリサイクルがしやすくなる。なお、粘着部２３の厚さは、特に限定されない。通常は、１０〜５０μｍ、好ましくは２０〜３０μｍ程度である。１０μｍ以下だと粘着力が不足し、切取り片が紛失する恐れがあり、５０μｍ以上になると粘着剤が基材からはみ出す恐れがある。なお、上記掲げた粘着剤のなかで最も好ましいのは乾燥性に優れ、乾燥後基材のぼこつきが少なく、印字適性が良好となるホットメルト粘着剤である。
【００３３】
また、第１紙片領域Ａにおける下基材３の表面３Ａの前記粘着剤層２３に対面する部位は、シリコーン、長鎖アルキルポリマー、ポリオレフィン、アルキド樹脂、フッ素化合物等の既知の離型剤を層状、薄膜状、網目状に適宜配してなる既知の離型処理がなされており、前記粘着剤層２３に対して下基材３が剥離可能に接着された状態となっている。かかる接着により、第１紙片領域Ａおいては、中間基材２と下基材３とが積層一体化されている（図５において離型処理部分を符号１７で示す）。
【００３４】
他方、前記第２紙片領域Ｂは、本形態では好ましい例として、上基材を有さない。すなわち、本形態の配送用伝票では、中間基材２、下基材３よりも上基材１が小さく構成されている。
【００３５】
そして、第２紙片領域Ｂは、下基材３の裏面３Ｂに、第１複写部１１と同様にフレキソ印刷、オフセット印刷、グラビア印刷等の既知の印刷技術により枠欄や当該枠内に記載すべき情報を指定する表示等を印刷することで、依頼者控えとなる複写情報記入部１４が分離可能に形成されている。
【００３６】
この複写情報記入部１４は、図６から理解されるように、前記折り線Ｌ１を介して上基材１の表面１Ａが折り返し内面となるようにして第１紙片領域Ａと第２紙片領域Ｂを折り重ねたさいに各複写部１１〜１３と重なる位置に形成されている。
【００３７】
他方、本形態の配送用伝票Ｘ１では、複写情報記入部１４の分離は、好適な例として、第２紙片領域Ｂにおける中間基材２の裏面２Ｂに粘着剤層２４が形成され、さらに下基材３の表面３Ａが離型処理され、両者が剥離可能に積層一体化されているとともに、下基材３の第２紙片領域Ｂと第１紙片領域Ａとの間に切り取り線Ｌ４を形成することで達成可能となっている（図５において前記離型処理部分を符号１８で示す）。
【００３８】
すなわち、この切り取り線Ｌ４を切り取りつつ、第２紙片領域Ｂにおける下基材３を中間基材２より剥離することで、複写情報記入部１４が分離するように構成されている。
【００３９】
なお、第２紙片領域Ｂにおける粘着剤層２４及び離型処理部分１８は、上記第１紙片領域Ａにおいて説明した粘着剤層２３と同様の構成をとることができ、製造にあたっては、各領域毎ではなく、各基材の積層に先立って中間基材２の裏面２Ｂに対して一括で粘着剤層２３，２４を形成することができ、また、下基材３の表面３Ａに離型処理部１７，１８を形成することができる。もちろん、第１紙片領域Ａと第２紙片領域Ｂにおける粘着剤層２３，２４、離型処理部１７，１８は離間している必要はなく、図示のように連続していてもよい。
【００４０】
また、前記切り取り線Ｌ４は、必ずしも第１紙片領域Ａと第２紙片領域Ｂとの間に形成する必要はなく、第２紙片領域Ｂにあってもよいし、第３複写部１３を侵食しない範囲で、第１紙片領域Ａにあってもよい。また、図示例のように１本の直線である必要もなく、複写情報記入部１４を囲むように配してもよい。
【００４１】
ここで、前記切り取り線Ｌ４も、第１複写部１１を囲む切り取り線Ｌ１と同様に、当該線に沿って切断されるように配した、ミシン目線、スリット線、ハーフスリット線などが採用できるが、ここでの最も好ましい切り取り線は、複写情報記入部を他の部分から容易に分離しやすいハーフスリット線である。
【００４２】
他方、本形態の配送用伝票Ｘ１は、前記折り線Ｌ１を介して第１紙片領域Ａと第２紙片領域Ｂを折り重ねて複写情報記入部１４と各複写部１１〜１３とが重なる位置とされた状態において、複写情報記入部１４に記入した情報が各複写部１１〜１３へ複写される複写機能を有する。
【００４３】
本形態の配送用伝票Ｘ１においては、この複写機能は、特に図７〜１０に示されるように、各基材１，２，３をノーカーボン紙により構成することで達成されている。より詳細には、上基材１を、表面１Ａに発色剤層１０Ａと顕色剤層１０Ｂとを有し、裏面１Ｂに発色剤層１０Ｃを有する上用紙の一種（業界においてセルフ上用紙とも称される）で構成し、中間基材２を、表面２Ａに顕色剤層２０Ａを有し裏面２Ｂに発色剤層２０Ｂを有する中用紙で構成し、下基材３を、表面３Ａに顕色剤層３０Ａを有する下用紙で構成することで、複写機能が付与されている。
【００４４】
かかる構成により、本形態の配送用伝票Ｘ１では、前記折り線Ｌ１を介して第１紙片領域Ａと第２紙片領域Ｂを折り重ねて複写情報記入部１４と各複写部１１〜１３とが重なる位置とされた状態において、複写情報記入部１４に対して印圧をもって記入した情報がノーカーボン紙の原理により各複写部１１〜１３に対して複写される。なお、第２紙片領域Ｂの中間基材表面２Ａには、複写情報記入部１４に記入した情報が、鏡文字となって表示されないように、顕色剤層２０Ａ上に複写防止層１９としての減感層を設けるのがよい。なお、減感層は既知の減感剤、減感インキの塗布、印刷、塗工などにより設けることができる。
【００４５】
なお、本発明の配送用伝票Ｘ１における複写機能については、この形態に限定されない。例えば、図示はしないが、上基材を、裏面に発色剤層を有する上用紙とし、下基材を表面に顕色剤層を有する下用紙とし、中間基材を、折り返し時に第１複写部と対面する部位にカーボン層を設けたバックカーボン紙としてもよい。
【００４６】
複写機能は、本発明の作用効果を妨げない範囲で、上用紙、セルフ上用紙、中用紙、下用紙、バックカーボン紙等を適宜組み合わせて達成することができる。
【００４７】
なお、本発明の配送用伝票Ｘ１においては、顕色剤層を構成する顕色剤、発色剤層を構成する発色剤、或いはノーカーボン紙の番手については、特に限定されない。手書き記入やインパクトプリンタの使用を考慮して適宜選定すればよい。
【００４８】
また、本発明における各基材１〜３のベースとなる原紙は、特に限定されない。クラフト紙、上質紙、グラシン紙、パーチメント紙、レーヨン紙、コート紙等を使用することができる。
【００４９】
さらに、本発明の配送用伝票Ｘ１においては、折り返しによる紙厚の増加と上述の複写機能の効果を考慮して、積層時における紙厚を３５０μｍ以下、特に２７５〜３２５μｍとするのが望ましい。紙厚が３５０μｍを超えると手書きで複写部に記入をした際、筆圧が弱いと、複写機能が発揮できなくなる可能性がある。また、ノンインパクトプリンタで印刷する際に紙詰まりが起こりやすくなる問題がある。
【００５０】
『使用方法例』
【００５１】
次いで、上記本形態の配送用伝票Ｘ１の使用方法例を、特に図１１を参照しながら説明する。
【００５２】
まず、図１１（Ａ）〜（Ｂ）に示すように、前記折り線Ｌ１を介して上基材１の表面１Ａが折り返し内面となるようにして第１紙片領域Ａと第２紙片領域Ｂを折り重ねて、図１１（Ｃ）に示されるように、各複写部１１〜１３と複写情報記入部１４とが重なる位置とする。
【００５３】
次いで、複写情報記入部１４に対して、手書き又はインパクトプリンタにより情報を記入する。この手書き又はインパクトプリンタによる複写情報記入部１４へ情報記入を行なうと、上述の複写機能によって各複写部１１〜１３に、当該記入情報１４と同じ情報が複写される。
【００５４】
次いで、複写情報記入部１４に必要な情報を記入するとともに各複写部１１〜１３に複写がなされたら、図１１（Ｄ）に示すように、第３複写部１３に係る下基材を分離する。このとき、第３複写部１３は、上述のとおり離型処理を介して中間基材２に対して剥離可能となっているとともに、下基材３には切り取り線Ｌ４が形成されているので、下基材３にかかる第３複写部１３が、中間基材２及び下基材３の他の部分より分離剥離される。分離された第３複写部１３は、依頼者控えとして、依頼者が保管する。そして、第３複写部１３を分離剥離すると、第２紙片領域Ａにおける中間基材２の裏面２Ｂに形成された粘着剤層２３が露出するので、この粘着剤層２３を介して、配送用伝票の残りの部分を配送品Ｄに部分的に貼付する。
【００５５】
次いで、図１１（Ｅ）に示すように、第２紙片領域Ｂにおける下基材３を中間基材２より分離剥離する。この分離剥離された第２紙片領域Ｂにかかる下基材３の裏面３Ｂには、複写情報記入部１４が位置されているため、これを依頼人の控えとして依頼人が保管する。そして、複写情報記入部１４を分離剥離すると、中間基材２の裏面２Ｂに形成された粘着剤層２４が露出するので、この粘着剤層２４を介して、配送用伝票の残りの部分を配送品Ｄに貼付する。
【００５６】
このように、本発明においては、貼付の為に剥離する紙片が発送者等控え、依頼人控えとなるので、無駄な紙片がない。
【００５７】
なお、上記使用例では、第３複写部１３を分離剥離して、配送用伝票を配送品Ｄに部分的に貼付した後、複写情報記入部１４を分離剥離して残りの部分を配送品Ｄに貼付するようにしたが、複写情報記入部１４を先に分離剥離して配送用伝票を部分的に配送品Ｄに貼付し、その後に第３複写部１３を剥離して残りの部分を配送品Ｄに貼付してもよい。さらには、複写情報記入部１４と第３複写部１３の双方を分離剥離して、粘着剤層２３，２４を露出させて配送品Ｄに貼付してもよい。
【００５８】
次いで、配送品に配送用伝票が貼付されたならば、発送者等はこの状態において、配達業者や運送会社等の配達者に対して配送品Ｄを受け渡して、配送品Ｄの配送を依頼する。配達者は、配送品Ｄを受け取った後に、上基材１の第１複写部１１である荷札兼受領証に記載された宛先情報に基づいて、配送品Ｄを届け先に届け、受取人へ配送品Ｄを受け渡す。
【００５９】
このとき、図１１（Ｆ）に示されるように、配達者は荷札兼受領証部である第１複写部１１を切り取り線Ｌ２で切断して配送品Ｄより分離し、これに受取人より受領確認の押印やサインをもらって受領の確認とする。
【００６０】
かくして、配送品Ｄの配送が完了し、この時点で、発送者等には第３複写部１３である発送者等控えが手元に控えとして残り、依頼主には複写情報記入部１４である依頼主控えが手元に控えとして残り、配達業者には第１複写部１１である受領証が残り、受取人には第２複写部１２である受取人控えが貼付された配送品が受領される。
【００６１】
さらに、本形態の配送用伝票Ｘ１では、図１１（Ｇ）に示されるように、第２複写部１２が切り取り線Ｌ３で囲まれているため、受取人は、適宜、切り取り線Ｌ３で第２複写部１２を切り取り、配送品より分離することができ、第２複写部１２の情報が配送品に残ったままになることがなくなり、情報保護が容易であり、かつ必要に応じて、第２複写部１２を手元に控えとして保管することができる。
【００６２】
このように本発明の配送用伝票Ｘ１は、各部に記入した情報に基づいて、宛先への配達及び受領の確認といった配送の基本的機能が達成されるとともに、配送用伝票から分離される各紙片が無駄なく利用され、廃棄される紙片なく使用することができる。
【００６３】
『その他の形態』
上記形態の配送用伝票Ｘ１は、第２紙片領域Ｂに係る中間基材２が配送用伝票に貼付される構成であるが、本発明は、例えば、第１紙片領域Ａと第２紙片領域Ｂとが切り取り線を介して分離可能に構成し、複写情報記入部１４にかかる下基材３を第２紙片領域Ｂにかかる中間基材２とともに分離する構成とすることができる。この場合、配送品に対して貼付される紙面がコンパクトとなる利点がある。
【００６４】
また、第２紙片領域Ｂにおける中間基材２の表面２Ａには、各種広告や各種証明書を印刷などによって配することができる。証明書としては、例えば、近年エコブーム(環境配慮思考)で配送業者はハイブリットカーなどで配送を行い二酸化炭素の排出を抑えるなどの取り組みを行っており、本配送用伝票も、無駄に捨てる紙片がないことから、配送にかかるＣＯ２削減に貢献しているので、カーボンオフセットを証明する証明書などが適する。その際、広告、証明書等を切り取れるように、ミシン目等を設け、中間基材２の第２紙片領域２の裏面の粘着剤層を、広告等の情報を除く部分に塗布することで、広告、証明書等を分離可能とすることもできる。
【００６５】
他方、上記形態では、第１複写部１１を切り取り線Ｌ２で囲むことで分離可能としたが、第１複写部に係る上基材１を中間基材２に対して疑似接着剤或いは点接着等により剥離可能に接着して、分離可能にしてもよい。
【００６６】
また、上記形態では、第２紙片領域Ｂには上基材１を有さない構成としたが、上基材１がある構成としてもよい。この場合、例えば、第２紙片領域Ｂにおける上基材１を第１紙片領域Ａにおける上基材１と同様のセルフ上用紙とした場合に、鏡文字が複写されるが、このような場合であっても、本発明の機能は達成できる。好ましくは上基材表面に減感層を設け、鏡文字が複写されるのを防止するのがよい。その他、鏡文字の露出を防止すべく、第２紙片領域Ｂの上基材１の表面１Ａに重ねて被覆シートを重ねる構成としてもよい。
【００６７】
さらに、本発明では、第１紙片領域Ａと第２紙片領域Ｂとに別種の上基材とすることができる。
【産業上の利用可能性】
【００６８】
本発明は、配送品に貼付して用いる配送用伝票に利用可能できる。
【符号の説明】
【００６９】
１…上基紙、１Ａ…上基材の表面、１Ｂ…上基材の裏面、２…中間基材、２Ａ…中間基材の表面、２Ｂ…中間基材の裏面、３…下基材、３Ａ…下基材の表面、３Ｂ…下基材の裏面、Ｌ１…折り線、Ｌ２，Ｌ３，Ｌ４…切り取り線、Ａ…第１紙片領域、Ｂ…第２紙片領域、１１…第１複写部（荷札兼受領証部）、１２…第２複写部（荷札）、１３…第３複写部（お客様控え）、１４…複写情報記入部、１６…接着部、１７，１８…離型処理部、２３，２４…粘着剤層、１０Ａ，１０Ｃ，２０Ｂ…発色剤層、１０Ｂ，２０Ａ，３０Ａ…顕色剤層、Ｄ…配送品、Ｘ１…配送用伝票。１９…複写防止層
【図１】
0005421033.tif 000002
【図２】
0005421033.tif 000003
【図３】
0005421033.tif 000004
【図４】
0005421033.tif 000005
【図５】
0005421033.tif 000006
【図６】
0005421033.tif 000007
【図７】
0005421033.tif 000008
【図８】
0005421033.tif 000009
【図９】
0005421033.tif 000010
【図１０】
0005421033.tif 000011
【図１１】
0005421033.tif 000012